(57)【要約】【課題】  印刷物の保護と、機械の破損防止を可能とするインクジェット記録装置を提供する。【解決手段】  記録ヘッドと、記録ヘッドによる被記録媒体への記録領域の下流側に位置し被記録媒体を支持する支持手段と、支持手段を保持する保持部材と、支持手段を保持部材より被記録媒体略搬送方向に突出／退避可能に制御する制御手段と、記録後の被記録媒体を保持する開閉可能な排紙トレイから成り、排紙トレイは支持手段の突出／退避動作に連動して開閉する。【選択図】  図１
2006315778.tif 000002
【特許請求の範囲】
【請求項１】
記録ヘッドと、該記録ヘッドによる被記録媒体への記録領域の下流側に位置し被記録媒体を支持する支持手段と、該支持手段を保持する保持部材と、前記支持手段を前記保持部材より被記録媒体略搬送方向に突出／退避可能に制御する制御手段と、記録後の被記録媒体を保持する開閉可能な排紙トレイから成り、該排紙トレイは前記支持手段の突出／退避動作に連動して開閉することを特徴とする記録装置。
【請求項２】
前記排紙トレイは前記支持手段が退避している時は閉状態であり、前記支持手段が突出している時は開状態であることを特徴とする請求項１に記載の記録装置。
【請求項３】
被記録媒体を検出する検出手段を備え、該検出手段によって被記録媒体を検出した時に前記排紙トレイは開閉動作が機能することを特徴とする請求項１又は、請求項２に記載の記録装置。
【請求項４】
前記記録ヘッドは熱エネルギーを用いてインクを吐出して記録を行うヘッドであって、インクに与える熱エネルギーを発生するための電気熱エネルギー変換体を備えていることを特徴とする、請求項１から請求項３のいずれか１項に記載の記録装置。
【発明の詳細な説明】
【技術分野】
【０００１】
本発明は記録装置において、記録ヘッドによって記録される被記録媒体を搬送するための被記録媒体送り機構に関し、特に記録後の被記録媒体を保持する排紙トレイに関するものである。
【背景技術】
【０００２】
一般にインクジェット記録装置は、記録ヘッドから被記録媒体にインクを吐出して記録を行うものであり、記録ヘッドのコンパクト化が容易であり、高精細な画像を高速で記録することができ、ランニングコストが安く、ノンインパクト方式であるため騒音が少なく、しかも、多色のインクを使用してカラー画像を記録するのが容易であるなどの利点を有している。
【０００３】
上記インクジェット記録装置において、給紙装置によって給紙されてきた記録シートは記録領域においてプラテンによって保持され、記録ヘッドによって記録された後、通紙方向下流側に設けられた排紙手段によって排紙される。
【０００４】
図１７、１８は従来のインクジェット記録装置の全体構成を示す断面図である。
【０００５】
図１７、１８において、被記録媒体である記録シートＰは、給紙部２に積載されており、給紙ローラー２２によって上部から一枚ずつ給紙される。
【０００６】
給紙された記録シートＰは、搬送ローラー３６とピンチローラー３７とによって挟持され、不図示の駆動源によって駆動される搬送ローラー３６によってプラテン３４上の印字開始位置まで搬送される。
【０００７】
７は、記録ヘッドで、キャリッジ５０に着脱可能に取り付けられており、キャリッジ５０は、軸８１によって軸支され、記録シートＰの搬送方向と直交する方向に移動可能となっている。つまり、記録ヘッド７が、記録シートＰの搬送方向と直交する方向に移動しながら記録シートＰへ印字を行うようになっている。
【０００８】
４１は、排紙ローラー軸で、伝達ローラー４０を介して搬送ローラー３６の回転力によって駆動される。
【０００９】
排紙ローラー軸４１には記録シートＰを搬送するために幅方向に複数のエラストマーやゴムから成る排紙ローラー４１ａが設けられている。
【００１０】
４２は、排紙ローラー４１ａと対応して圧接する拍車で、記録後の印字面を転走するため、印字された画像のインクがなるべく転移しないように先端をとがらせた形状となっている。
【００１１】
記録シートＰは、先端が排紙ローラー４１ａと拍車４２とで挟持される前は搬送ローラー３６とピンチローラー３７とで搬送され、後端がピンチローラー３７から外れた後は排紙ローラー４１ａと拍車４２とによって搬送され、排紙トレイ１００へ排紙、収容されるようになっている。
【００１２】
又、別の従来例としては、特許文献１及び特許文献２をあげることが出来る。
【特許文献１】特開平06-179564号公報
【特許文献２】特開平09-080841号公報
【発明の開示】
【発明が解決しようとする課題】
【００１３】
上述従来例に示す記録装置は排紙トレイ１００が外装部材に取付られ開閉可能に構成されており、記録装置を使用する際には排紙トレイ１００を開状態にしてから印刷を行うものであり、誤って排紙トレイ１００を閉状態で印刷を行ってしまった場合は、記録シートが記録装置から排出されずに記録装置内でジャムとなり、印刷後の記録シートを駄目にしてしまうのは勿論のこと、ジャム処理に時間や手間を浪費し、ジャムした記録シートに記録ヘッドがぶつかって記録ヘッドが破壊されたり、記録装置の各部が損傷してしまい記録装置に多大な影響を与えてしまうものであった。
【課題を解決するための手段】
【００１４】
本発明の記録装置は、記録ヘッドと、記録ヘッドによる被記録媒体への記録領域の下流側に位置し被記録媒体を支持する支持手段と、支持手段を保持する保持部材と、支持手段を保持部材より被記録媒体略搬送方向に突出／退避可能に制御する制御手段と、記録後の被記録媒体を保持する開閉可能な排紙トレイから成り、排紙トレイは支持手段の突出／退避動作に連動して開閉するようにしたものである。
【００１５】
また、排紙トレイは支持手段が退避している時は閉状態であり、支持手段が突出している時は開状態であるようにしたものである。
【００１６】
また、被記録媒体を検出する検出手段を備え、検出手段によって被記録媒体を検出した時に排紙トレイは開閉動作が機能するようにしたものである。
【００１７】
また、記録ヘッドは熱エネルギーを用いてインクを吐出して記録を行うヘッドであって、インクに与える熱エネルギーを発生するための電気熱エネルギー変換体を備えているようにしたものである。
【発明の効果】
【００１８】
以上説明したように、本発明のインクジェット記録装置は排紙トレイを支持手段の突出／退避動作に連動して開閉するようにしたので、誤って排紙トレイ１００を閉状態で印刷を行ってしまった場合でも自動的に排紙トレイは開状態となるので、ジャムの発生しない、印刷後に記録シートを駄目にしてしまうことのない、記録装置を破損させることのない安全で信頼性に優れた装置とすることができる。
【発明を実施するための最良の形態】
【００１９】
次に、本発明の詳細を実施例の記述に従って説明する。
【実施例１】
【００２０】
本発明の実施例１を図１、図２を用いて説明する。自動給紙装置を有した記録装置１は、給紙部２、送紙部３、排紙部４、キャリッジ部５、クリーニング部６から構成されている。そこで、これらを項目に分けて概略を順次述べていく。なお、図１は記録装置１の全体構成を示す斜視図、図２は記録装置１の側面からの構成断面図で、図１、２を用いて（Ｉ）給紙部、（II）送紙部、（III）キャリッジ部、（IV）クリーニング部、（Ｖ）排紙部の説明をする。
【００２１】
（Ｉ）給紙部
給紙部２は記録紙Ｐを積載する圧板２１と記録紙Ｐを給紙する給送回転体２２がベース２０に取り付けられる構成となっている。圧板２１には可動サイドガイド２３が移動可能に設けられて、記録紙Ｐの積載位置を規制している。圧板２１はベース２０に結合された回転軸ａを中心に回転可能で、圧板バネ２４により給送回転体２２に付勢される。給送回転体２２と対向する圧板２１の部位には、記録紙Ｐの重送を防止する人工皮等の摩擦係数の大きい材質からなる分離パッド２５が設けられている。さらに、ベースには、記録紙Ｐの一方向の角部を覆い、記録紙Ｐを一枚ずつ分離するための分離爪２６、厚紙等分離爪２６が使えないものを分離するためにベース２０に一体形成された土手部２７、普通紙ポジションでは分離爪２６が作用し、厚紙ポジションでは分離爪２６が作用しないように切り換えるための切り替えレバー２８、圧板２１と給送回転体２２の当接を解除するリリースカム２９、が設けられている。
【００２２】
上記構成において、待機状態ではリリースカム２９が圧板２１を所定位置まで押し下げている。これにより、圧板２１と給送回転体２２の当接は解除される。そして、この状態で搬送ローラー３６の有する駆動力が、ギア等により給送回転体２２及びリリースカム２９に伝達されると、リリースカム２９は圧板２１から離れるので圧板２１は上昇し、給送回転体２２と記録紙Ｐが当接し、給送回転体２２の回転に伴い記録紙Ｐはピックアップされ給紙を開始し、分離爪２６によって一枚ずつ分離されて送紙部３に送られる。給送回転体２２及びリリースカム２９とは記録紙Ｐを送紙部３に送り込むまで回転し、再び記録紙Ｐと給送回転体２２との当接を解除した待機状態となって搬送ローラー３６からの駆動力が切られる。
【００２３】
（II）送紙部
送紙部３は記録紙Ｐを搬送する搬送ローラー３６とＰＥセンサー３２を有している。搬送ローラー３６には従動するピンチローラー３７が当接して設けられている。
【００２４】
ピンチローラー３７はピンチローラーガイド３０に回動可能に保持され、ピンチローラーガイド３０をピンチローラーバネ３１で付勢することで、ピンチローラー３７を搬送ローラー３６に圧接させて記録紙Ｐの搬送力を生み出している。さらに、記録紙Ｐが搬送されてくる送紙部３の入口には記録紙Ｐをガイドする上ガイド３３及びプラテン３４が配設されている。また、上ガイド３３には記録紙Ｐの先端、後端検出をＰＥセンサ−３２に伝えるＰＥセンサーレバー３５が設けられている。
【００２５】
上記構成において、送紙部３に送られた記録紙Ｐはプラテン３４、ピンチローラーガイド３０及び上ガイド３３に案内されて、搬送ローラー３６とピンチローラー３７とのローラー対に送られる。この時、ＰＥセンサ−レバ−３５で搬送されてきた記録紙Ｐの先端を検知して、これにより記録紙Ｐの印字位置を求めている。また、記録紙Ｐは不図示のＬＦモーターによりローラー対３６、３７が回転することでプラテン３４上を搬送される。
【００２６】
なお、記録ヘッド７はインクタンクが着脱可能に構成された交換容易なインクジェット記録ヘッドが用いられている。この記録ヘッド７は、ヒータ等によりインクに熱を与えることが可能となっている。そして、この熱によりインクは膜沸騰し、この膜沸騰による気泡の成長または収縮によって生じる圧力変化によって記録ヘッド７のノズル７０からインクが吐出されて記録紙Ｐ上に画像が形成される。
【００２７】
（III）キャリッジ部
キャリッジ部５は、記録ヘッド７を取り付けるキャリッジ５０を有している。そしてキャリッジ５０は、記録紙Ｐの搬送方向にたいして直交方向に往復走査させるためのガイド軸８１及びキャリッジ５０の後端を保持して記録ヘッド７と記録紙Ｐとの隙間を維持するガイドレール８２によって支持されている。なお、これらガイド軸８１及びガイドレール８２はシャーシー８に取り付けられている。また、キャリッジ５０はシャーシー８に取り付けられたキャリッジモーター８０によりタイミングベルト８３を介して駆動される。このタイミングベルト８３は、アイドルプーリー８４によって張設、支持されている。さらに、キャリッジ５０には、電気基板９から記録ヘッド７ヘッド信号を伝えるためのフレキシブル基板５６を備えている。
【００２８】
上記構成において、記録紙Ｐに画像形成する時は、画像形成する行位置（記録紙Ｐの搬送方向の位置）にローラー対３６、３７が記録紙Ｐを搬送すると共にキャリッジモーター８０によりキャリッジ５０を画像形成する列位置（記録紙Ｐの搬送方向と直角な位置）に移動させて、記録ヘッド７を画像形成位置に対向させる。その後、電気基板９からの信号により記録ヘッド７が記録紙Ｐに向けてインクを吐出して画像が形成される。
【００２９】
また、キャリッジ５０への記録ヘッド７の着脱や、記録ヘッド７へのインクタンクの着脱は、不図示の操作キーを押すとキャリッジ５０が所定の位置へ移動し、その位置で各着脱操作を行うようになっている。
【００３０】
（IV）クリ−ニング部
クリーニング部６は、記録ヘッド７のクリーニングを行うポンプ６０と記録ヘッド７の乾燥を抑えるためのキャップ６１及び搬送ローラー３６からの駆動力を給紙部２及びポンプ６０にきり換える駆動切り替えアーム６２から構成されている。駆動切り替えアーム６２が給紙、クリーニング以外の時は、搬送ローラー３６の軸心を中心に回転する遊星ギア（不図示）を所定位置に固定しているので、給紙部２及びポンプ６０に駆動力は伝達されない。キャリッジ５０が移動することで、駆動切り替えアーム６２を矢印Ａ方向に移動させると、遊星ギアがフリーになるので搬送ローラー３６の正転、逆転に応じて遊星ギアが移動し、搬送ローラー３６が正転したときは給紙部２に駆動力が伝達され、逆転したときはポンプ６０に駆動力が伝達されるようになっている。
【００３１】
（Ｖ）排紙部
排紙部４には２本の排紙ローラー４１、４１Ａが設けられ、搬送ローラー３６と排紙ローラー４１に当設する伝達ローラー４０と排紙ローラー４１と排紙ローラー４１Ａに当設する伝達ローラー４０Ａが設けられている。従って、搬送ローラー３６の駆動力が伝達ローラー４０を介して排紙ローラー４１に伝達され、伝達ローラー４１Ａによって排紙ローラー４１Ａに伝達される。
【００３２】
また、排紙ローラー４１、４１Ａに従動して回転可能な如く拍車４２、４２Ａが排紙ローラー４１、４１Ａに当接され、拍車４２、４２Ａにはクリーニングローラー４４が回転可能に当接されている。以上の構成によって、キャリッジ部５で画像形成された記録紙Ｐは、前記排紙ローラー４１、４１ａと拍車４２、４２ａとに挟まれ、搬送されて排紙トレー１００に排出される。
【００３３】
排紙ローラー４１Ａの下流側には記録後の排紙される記録紙Ｐを支持する後述の排紙サポート１０４が設けられ、排紙サポート１０４は案内部材１０２に回転可能に取付けられ、案内部材１０２はプラテン３４から突出／プラテン３４へ退避可能となっている。すなわち、案内部材１０２が直線動作することに伴って排紙サポート１０４は回転動作するようになっている。
【００３４】
次に本発明に係る記録紙の記録領域の下流側に位置し被記録媒体を支持する支持手段の構成及び動作を図３〜図１２を用いて説明する。
【００３５】
図３は記録装置１の全体構成を示す斜視図で、図４は記録装置１が記録状態にある記録要部を示す模式的な斜視図で、図５は記録時のコックリングの発生状態を示す装置手前から見た正面図で、図６は記録装置１の排紙サポート機構の全体構成を示す下方から見た斜視図で、図７は図６の部分拡大図で、図８は記録装置１の排紙サポート機構の駆動部を示す部分拡大図で、図９〜１１は記録装置１の排紙サポート機構動作時の様子を示す側面からの構成断面図で、図１２は記録装置１の排紙サポート動作制御のフローチャートである。
【００３６】
図３〜１２において搬送部は、上述の構成で動作するものである。
【００３７】
図３においてプラテン３４の上面には記録紙Ｐの搬送方向に延びる凸リブ３４ａが形成され、記録紙Ｐの幅方向に所定間隔で複数設けられている。
【００３８】
プラテン３４の下流側には凸リブ３４ａに対応して排紙ローラー４１ａ、４１Ａａが設けられ、排紙ローラー４１ａ、４１Ａａと当接して従動回転する拍車４２、４２Ａが複数設けられ、拍車４２Ａの下流側には対応する排紙サポート１０４〜１０８が設けられている。
【００３９】
搬送ローラー３６の駆動力は図２に示す伝達ローラー４０、４０Ａによって排紙ローラー４１、４１Ａに伝達される。
【００４０】
以上のように記録紙Ｐは記録領域において搬送ローラー３６とピンチローラー３７及び排紙ローラー４１と拍車４２とで記録紙Ｐと記録ヘッド７との間隔を適正に保つように構成され、排紙ローラー４１、４１Ａと拍車４２、４２Ａとで挟持して搬送される。
【００４１】
また、記録紙搬送方向においてプラテンの凸リブ３４ａと拍車４２、４２Ａと排紙サポート１０４〜１０８を同軸上に配置することで記録時のコックリングを効率良くプラテン３４の凸リブ３４ａと凸リブ３４ａとの間に下凸で発生させるようにしている（図５）。
【００４２】
次に排紙サポート機構の構成について説明する。
【００４３】
図３において排紙ローラー４１Ａの下流側には排紙サポート１０４〜１０８が設けられ、案内部材１０２、１０３によってプラテン３４に支持され、プラテン３４から突出／プラテン３４へ退避可能となっている。
【００４４】
排紙サポート１０４〜１０８は記録紙Ｐの幅方向に５ヶ所に設けられ、プラテン３４より突出した状態において記録紙Ｐを記録領域での水平面よりも上方へ案内支持する。
【００４５】
記録紙ＰがＡ４幅サイズにおいては排紙サポート１０４、１０５、１０６で支持し、Ａ３幅サイズにおいては排紙サポート１０７、１０８も使用して１０４〜１０８の全てで支持し、それぞれにおいて記録紙Ｐの中心付近が自重で下方へ下がるように記録紙にコシを与えるようにしている。
【００４６】
つまり、Ａ３幅サイズを基本にして、排紙サポート１０４と１０８及び、１０５と１０７は同様の形状とし、排紙サポートがプラテンより突出した状態で、排紙サポートの下流側最上端部（記録紙支持部）の高さ位置は１０４（１０８）＞１０５（１０７）となっている。
【００４７】
Ａ４幅サイズにおいては排紙サポート１０４、１０５、１０６で支持するが、同様の高さ位置で１０５と１０６の関係は１０５よりも若干１０６の方が高い位置にあり、１０５（１０７）＜１０６となっている。
【００４８】
本実施例では記録紙Ｐに低又は中濃度の印字を行った場合はＡ３幅サイズにおいて排紙サポート１０４、１０６、１０８で記録紙Ｐを支持し、高濃度の印字を行った際に排紙サポート１０４（１０８）の内側で記録紙Ｐが座屈して折れ曲がるのを防ぐために排紙サポート１０５、１０７によって記録紙を支持するように設けてある。
【００４９】
従って、本実施例では上述のように１０５（１０７）＜１０６としたが、１０５（１０７）＝１０６や若干の差であれば１０５（１０７）＞１０６としても良いものである。
【００５０】
排紙サポート１０４、１０５は図９に示す案内部材１０２の軸１０２ｃを中心に回転可能に支持され、同様に排紙サポート１０６、１０７、１０８は案内部材１０３の軸１０３ｃ（不図示）を中心に回転可能に支持されている。
【００５１】
続いて排紙サポート１０４〜１０８で同様なため代表して排紙サポート１０４を用いて説明する。
【００５２】
図９に示すように排紙サポート１０４は下流側の記録紙支持部である上部形状が下流側へ向かって徐々に傾斜して高くなる形状をしており、記録後の記録紙先端が該傾斜部と係合し、該傾斜部に沿って支持されて滑らかに搬送されるようになっている。
【００５３】
また、排紙サポート１０４の上流側には後述のプラテン３４のカムレール３４-1〜３４-4と当接して排紙サポート１０４の下流側の記録紙支持部１０４ｂの高さ位置を決めるためにカム山１０４ａを有している。
【００５４】
そしてまた、上流側下部にはボス１０４ｂを有し、図１０、１１に示すバネ１１４が掛けられ、バネ１１４の他端が案内部材１０２に接地されることで、カム山１０４ａとカムレール３４−１〜３４−４が常時安定して当接するようになっている。
【００５５】
以上のように排紙サポート１０４、１０５は案内部材１０２に回動可能に支持され、排紙サポート１０６、１０７、１０８は案内部材１０３に回動可能に支持される。
【００５６】
案内部材１０２の両側にはプラテン３４に設けられたガイド溝３４ｃと係合する凸形状のガイドレール１０２ｂが設けられ、案内部材１０２はガイドレール１０２ｂとプラテン３４のガイド溝３４ｃ内を摺動しながら直線的に移動する。
【００５７】
案内部材１０３についても同様であるが、案内部材１０３には凸形状のガイドレール１０３ｃが３ヶ所に設けられ、それぞれプラテン３４のガイド溝３４ｃと係合するようになっている。
【００５８】
案内部材１０２の下部には１ヶ所にラック１０２ａが設置され、案内部材１０３の下部には２ヶ所にラック１０３ａ、１０３ｂが設けられている。
【００５９】
また、プラテン３４の下方にはプラテン３４に設けられた軸受け部３４ｂで回転可能に支持される駆動軸１０９が設けられ、駆動軸１０９に設けられたピニオンギア１０９ａ〜１０９ｃと前述の案内部材１０２、１０３のラック１０２ａ、１０３ａ、１０３ｂとが係合することで案内部材１０２、１０３は移動される。
【００６０】
ここで、ピニオンギア１０９ａはラック１０２ａと噛み合い、ピニオンギア１０９ｂはラック１０３ａと噛み合い、ピニオンギア１０９ｃはラック１０３ｂと噛み合うようになっている。
【００６１】
以上のように案内部材１０２、１０３は駆動軸１０９の回転によってプラテン３４から突出／プラテン３４へ格納されるように直線運動をするが、案内部材１０２、１０３はプラテン３４に対して不図示の所望の位置で突き当たり位置決めされるようになっている。
【００６２】
駆動軸１０９の端部にはギア１０９ｄが設けられ、伝達ギア１１０と噛み合い、伝達ギア１１０と同軸上に設置された伝達ギア１１１がモータ１１２のモータギア１１３と噛み合うように伝達ギア１１０、伝達ギア１１１はプラテン３４に設置の軸受け３４ｄに回転可能に支持されている。
【００６３】
ところで、伝達ギア１１０と伝達ギア１１１の間には不図示のバネによって付勢されるトルクリミッタ（不図示）が内蔵されているので、モータ１１２で駆動されて各ギアによって伝達されて案内部材１０２、１０３が移動して突き当たって停止する時にもピニオンギア１０９ａ、１０９ｂ、１０９ｃとラック１０２ａ、１０３ａ、１０３ｂとの間で歯飛びが発生することはない。
【００６４】
次に排紙サポート１０４〜１０８の動作について説明する。
【００６５】
モータ１１２が起動されるとモータギア１１３が回転し、伝達ギア１１１に駆動が伝わり伝達ギア１１１と当接する伝達ギア１１０によってギア１０９ｄを通じて駆動軸１０９が回転される。
【００６６】
駆動軸１０９に設けられたピニオンギア１０９ａ〜１０９ｃと噛み合うラック１０２ａ、１０３ａ、１０３ｂによって案内部材１０２、１０３は直線的に移動を開始する。
【００６７】
図９〜１１において、図９は排紙サポート１０４が突出され記録紙Ｐを支持している状態であり、図１０は排紙サポート１０４の下流側の記録紙支持部１０４ｂが最下点にあり案内部材１０２がプラテン３４から突出又はプラテン３４へ格納される途中位置の状態を示す図であり、図１１は案内部材１０２がプラテン３４へ格納されている状態を示す図である。
【００６８】
以下、排紙サポート１０４〜１０８において動作は同様であるため、代表して排紙サポート１０４を用いて説明する。
【００６９】
図１１において案内部材１０２は所定位置でプラテン３４に格納され、排紙サポート１０４は案内部材１０２へ収納されてバネ１１４によってカム山１０４ａはプラテン３４のカムレール３４−４に当接し、待機している。
【００７０】
駆動軸１０９のピニオンギア１０９ａが回動すると係合するラック１０２ａによって案内部材１０２は突出し始め、排紙サポート１０４のカム山１０４ａはバネ１１４の力に抗してプラテン３４のカムレール３４−４、３４−３を摺動する。（図１０）
排紙サポート１０４の下流側の記録紙支持部１０４ｂが排紙ローラー４１Ａａを過ぎ、カム山１０４ａがカムレールの斜面３４−２と当接するとカム山１０４ａは下方へ下げられ、排紙サポート１０４の下流側の記録紙支持部１０４ｂが徐々に上方へ上げられ、カム山１０４ａがカムレールの最下流面３４−１と当接した状態で記録紙支持部１０４ｂは最上位置となり、案内部材１０２はプラテン３４の所定位置に突き当たって停止し、排紙サポート１０４の記録紙支持部１０４ｂも所定位置で保持される。
【００７１】
そして記録紙Ｐは先端が拍車４２を過ぎた後、排紙サポート４７の上傾斜面に当接し、傾斜面に沿って搬送され、下流側最上端部４７ａで支持される。（図９）
ここで、排紙サポート１０４〜１０８の突出／退避タイミングについて説明する。
【００７２】
排紙サポート１０４〜１０８の突出／退避タイミングは、制御手段によって行われ、記録紙のサイズや記録領域と同期して制御されるが、図１２に示すフローチャート内容で制御される。
【００７３】
被記録媒体として普通紙使用の場合は、排紙サポート１０４〜１０８は記録ヘッドによる印字開始前に突出し、記録終了後の排紙時で記録紙後端が略排紙ローラー４１ａ位置で退避されるようになっている。
【００７４】
このように普通紙においては、厚さが薄いため、記録濃度が高い画像を印字した場合に記録紙先端が自重で下方へ垂れ下がるのを防ぐために記録紙の先端から排紙サポート１０４〜１０８で支持する必要がある。
【００７５】
そして普通紙は紙自体のコシが弱いため紙幅方向においてそれぞれの排紙サポート１０４〜１０８の高さ関係を上述のようにしてあるため、排紙サポート１０４〜１０８にならって記録紙を中央が下凸方向にわん曲させて支持することがし易く、記録紙後端領域印字時においても排紙サポート１０４〜１０８で支持することが可能である。これは上述のスミアーに対して有効である。
【００７６】
一方、被記録媒体として光沢紙やコート紙使用の場合は、排紙サポート１０４〜１０８は記録紙の裏面に当接するタイミングで突出し、記録紙後端が搬送ローラーとピンチローラーとに挟時されている状態で退避されるようになっている。
【００７７】
ここで排紙サポート１０４〜１０８が突出／退避するタイミングは記録ヘッドによる印字の改行時に行われるようになっている。
【００７８】
そして、光沢紙やコート紙使用時は普通紙使用時に比べて、排紙サポート１０４〜１０８の動作速度は遅く、ゆっくりと動作するようになっている。
【００７９】
このように、コシの強い光沢紙やコート紙においては、排紙サポート１０４〜１０８が予め突出していると、排紙サポート１０４〜１０８に記録紙Ｐの先端が当接した際に記録画像の乱れが発生するのを防ぐためである。
【００８０】
また、普通紙に比べて排紙サポートの動作速度を遅くすることも記録紙へ与える衝撃を和らげ、画像乱れを防ぐためである。
【００８１】
以上説明したような構成、動作で排紙サポート機構は機能されるものである。
【００８２】
次に本発明に関わる被記録媒体を支持する支持手段と排紙トレイの関係動作について説明する。
【００８３】
図１３は支持手段が突出して排紙トレイが開状態を示す側面図で、図１４は支持手段が退避して排紙トレイが閉状態を示す側面図である。
【００８４】
図１３、１４において、排紙サポート１０４、案内部材１０２が突出すると、案内部材１０２の先端が検出スイッチ２０１に当接し、スイッチ２０１がＯＮとなり、駆動源である専用のモータ２０２によってギア２０３が回動し、排紙トレイ１００が開く（図１３）。
【００８５】
排紙サポート１０４、案内部材１０２が退避すると検出スイッチ２０１がＯＦＦとなり、モータ２０２によってギア２０３が回動し、排紙トレイ１００は閉じられる（図１４）。
【００８６】
支持手段である排紙サポート１０４、案内部材１０２は上述のＰＥセンサーレバー３５によって記録紙を検出した場合に動作するようになっている。
【００８７】
従って、排紙トレイ１００もＰＥセンサーレバー３５によって記録紙を検出した場合に動作することになる。
【００８８】
ここで、不図示の制御回路によって排紙トレイ１００の開閉動作は記録装置の電源ＯＮ後、及び印刷終了してから所定時間経過後の最初のみ有効となっている。
【実施例２】
【００８９】
本実施例に示す排紙トレイ１００の開閉動作は、図１５、１６に示すように、駆動軸１０９のギアとギア２０３とを伝達ベルト２０４で連結させ駆動軸１０９の回転をベルト２０３によって伝達し、排紙トレイ１００を開閉させるようにしたものである。
【００９０】
このような構成にすることで実施例１で述べた専用モータ２０２を必要としないためコストに有利な構成とすることができる。
【００９１】
尚、本発明では伝達手段としてベルト２０４を用いたがギアによる伝達機構としても良い。
【００９２】
以下、その動作については第１の実施例で述べたものと略同様である。
【図面の簡単な説明】
【００９３】
【図１】本発明のインクジェット記録装置の一実施例の全体構成を示す斜視図である。
【図２】本発明のインクジェット記録装置の一実施例の側面からの構成断面図である。
【図３】本発明のインクジェット記録装置の全体構成を示す斜視図である。
【図４】本発明のインクジェット記録装置が記録状態にある記録要部を示す模式的な斜視図。
【図５】本発明に係わる記録装置の記録時のコックリングの発生状態を示す装置手前から見た正面図である。
【図６】本発明に係わる記録装置の排紙サポート機構の全体構成を示す下方から見た斜視図。
【図７】本発明に係わる記録装置の図６の部分拡大図である。
【図８】本発明に係わる記録装置の排紙サポート機構の駆動部を示す部分拡大図である。
【図９】本発明に係わる記録装置の排紙サポート機構動作時の様子を示す側面からの構成断面図である。
【図１０】本発明に係わる記録装置の排紙サポート機構動作時の様子を示す側面からの構成断面図である。
【図１１】本発明に係わる記録装置の排紙サポート機構動作時の様子を示す側面からの構成断面図である。
【図１２】本発明に係わる排紙サポート動作制御のフローチャートである。
【図１３】本発明に係わる支持手段が突出して排紙トレイが開状態を示す側面図である。
【図１４】本発明に係わる支持手段が退避して排紙トレイが閉状態を示す側面図である。
【図１５】その他の実施例の支持手段が突出して排紙トレイが開状態を示す側面図である。
【図１６】その他の実施例の支持手段が退避して排紙トレイが閉状態を示す側面図である。
【図１７】従来のインクジェット記録装置の全体構成を示す斜視図である。
【図１８】従来のインクジェット記録装置の側面からの構成断面図である。
【符号の説明】
【００９４】
１  記録装置
２  給紙部
３  送紙部
４  排紙部
５  キャリッジ部
６  クリーニング部
７  記録ヘッド
８  シャーシ
２０  ベース
２１  圧板
２２  給送回転体
２４  圧板バネ
３４  プラテン
３４ａ  凸リブ
３４ｂ  軸受け
３４ｃ  カイド溝
３４ｄ  軸受け
３４−１  カムレール
３４−２  カムレール
３４−３  カムレール
３６  搬送ローラー
３７  ピンチローラー
４０  伝達ローラー
４１  排紙ローラー
４１Ａ  排紙ローラー
４２  拍車
４２Ａ  拍車
５０  キャリッジ
８１  ガイド軸
１００  排紙トレイ
１０２  案内部材
１０２ａ  ラック
１０２ｂ  ガイドレール
１０２ｃ  軸
１０３  案内部材
１０３ａ  ラック
１０３ｂ  ラック
１０３ｃ  ガイドレール
１０４  排紙サポート
１０４ａ  カム山
１０４ｂ  記録紙支持部
１０５  排紙サポート
１０６  排紙サポート
１０７  排紙サポート
１０８  排紙サポート
１０９  駆動軸
１０９ａ  ギア
１０９ｂ  ギア
１０９ｃ  ギア
１０９ｄ  ギア
１１０  伝達ギア
１１１  伝達ギア
１１２  モーター
１１３  モーターギア
１１４  バネ
１２０  ローラー
２０１  検出スイッチ
２０２  モータ
２０３  ギア
２０４  伝達ベルト
【図１】
2006315778.tif 000003
【図２】
2006315778.tif 000004
【図３】
2006315778.tif 000005
【図４】
2006315778.tif 000006
【図５】
2006315778.tif 000007
【図６】
2006315778.tif 000008
【図７】
2006315778.tif 000009
【図８】
2006315778.tif 000010
【図９】
2006315778.tif 000011
【図１０】
2006315778.tif 000012
【図１１】
2006315778.tif 000013
【図１２】
2006315778.tif 000014
【図１３】
2006315778.tif 000015
【図１４】
2006315778.tif 000016
【図１５】
2006315778.tif 000017
【図１６】
2006315778.tif 000018
【図１７】
2006315778.tif 000019
【図１８】
2006315778.tif 000020